(57)【要約】【課題】異臭の発生や不衛生になることを抑制できると共に、誰もが容易に使用することの可能な尿はね防止器具を提供する。【解決手段】尿はね防止器具は、放尿を受ける受尿体４と、受尿体４の下端側に接続された尿排出ホース５と、受尿体４の上端側に接続された給水パイプ６と、受尿体４を回動可能かつ昇降可能に支持するガイド部材２とを備え、給水パイプ６を介して受尿体４に洗浄水を供給可能となっている。使用時は、受尿体４をガイド部材に沿って昇降させて所望の高さにした状態で洋式便器１の真上まで回動し、この状態で使用者の排尿器官に近付けた受尿体４に向けて放尿し、排尿後に給水パイプ６を介して受尿体４に水道水等の洗浄水を供給することにより、受尿体４や尿排出ホース５の内壁面に付着した尿を洗い流して洋式便器１に排出する。【選択図】図１
2019063351.tif 000002
【特許請求の範囲】
【請求項１】
便器に放尿する際の尿はねを防止するための尿はね防止器具であって、
放尿を受ける受尿体と、前記受尿体の下端側に接続された尿排出流路と、前記受尿体の上端側に接続された給水流路と、前記受尿体を回動可能かつ昇降可能に支持するガイド部材とを備え、前記給水流路を介して前記受尿体に洗浄水を供給可能となっていることを特徴とする尿はね防止器具。
【請求項２】
請求項１に記載の尿はね防止器具において、前記受尿体は前記ガイド部材に保持体を介して支持されており、前記保持体に前記受尿体が水平方向へ移動可能に保持されていることを特徴とする尿はね防止器具。
【請求項３】
請求項１に記載の尿はね防止器具において、前記給水流路が可撓性を有する蛇腹ホースまたはゴムホースであることを特徴とする尿はね防止器具。
【請求項４】
請求項１に記載の尿はね防止器具において、前記給水流路が着脱可能な継手を介して前記受尿体に接続されていることを特徴とする尿はね防止器具。
【請求項５】
請求項１に記載の尿はね防止器具において、前記受尿体と前記尿排出流路との接続部に開閉弁が設けられていることを特徴とする尿はね防止器具。
【請求項６】
請求項１に記載の尿はね防止器具において、前記受尿体は上端を大径部とする円錐形状の内周面を有しており、前記洗浄水は前記給水流路から前記受尿体の内周面に沿って噴出されることを特徴とする尿はね防止器具。
【請求項７】
請求項１に記載の尿はね防止器具において、前記受尿体が外周面の一部を上方へ突出させたストッパ片を有していることを特徴とする尿はね防止器具。
【請求項８】
請求項１に記載の尿はね防止器具において、前記便器の便器本体に水溜り部に臨む取付孔が設けられており、前記尿排出流路が可撓性を有する蛇腹ホースまたはゴムホースであると共に、この尿排出流路の先端部が前記取付孔に固定されていることを特徴とする尿はね防止器具。
【請求項９】
キャスター付きの運搬台と、前記運搬台に立設されたガイド支柱と、前記ガイド支柱に回動可能かつ昇降可能に支持された放尿を受ける受尿体と、前記受尿体の下端側に接続された尿排出流路と、前記受尿体と前記尿排出流路との接続部に設けられた開閉弁と、を備えたことを特徴とする尿はね防止器具。
【発明の詳細な説明】
【技術分野】
【０００１】
本発明は、便器に向けて放尿する際の尿はねを防止するための尿はね防止器具に関するものである。
【背景技術】
【０００２】
洋式便器を用いて男性が正立姿勢で放尿する場合、便器の尿を受ける面が放尿をする者よりもかなり低い位置となるため、便器の外部に尿はねが拡散して便器周辺の壁面や床等を汚してしまうことが多くなる。そこで、特許文献１に記載されているように、このような尿はねを防止するための尿はね防止器具が本発明者によって提案されている。
【０００３】
特許文献１に開示された尿はね防止器具は、放尿を受ける受尿筒と、この受尿筒の下面に接続された可撓性の尿誘導ホースと、これら受尿筒と尿誘導ホースが載置される棚板とを備えて構成されており、棚板は便器の近傍に立設されたポールに回動可能に支持されている。
【０００４】
このように構成された尿はね防止器具を使用する場合、使用者は、棚板を回動して受尿筒を洋式便器の真上まで移動し、尿誘導ホースの下端を洋式便器内に差し込んだ状態で放尿すれば、尿を受ける受尿筒が使用者の排尿器官に近い位置となるため、尿はねを防止することができる。また、排尿が終わった後に棚板を逆方向へ回動し、受尿筒と尿誘導ホースを洋式便器の側方の保管場所へ移動しておけば、尿はね防止器具を使用しない女性や子供等は、尿はね防止器具の存在が邪魔にならずに洋式便器を利用することができる。
【先行技術文献】
【特許文献】
【０００５】
【特許文献１】実用新案登録第３２１２１０４号公報
【発明の概要】
【発明が解決しようとする課題】
【０００６】
特許文献１に開示された尿はね防止器具は、使用するときだけ棚板を便器の真上まで回動することにより、受尿筒を尿の受けやすい位置に移動して尿はねを防止することができると共に、不使用時には便器周辺の保管場所に収納して利便性を高めることができる。しかし、使用時に受尿筒に受けられた排尿が尿誘導ホースを通って便器まで導かれる構造であるため、排尿後に受尿筒や尿誘導ホースの内壁面に尿が付着したまま残ってしまい、それが悪臭を発生させたり不衛生の原因になるという課題がある。
【０００７】
また、特許文献１に開示された尿はね防止器具では、ポールに支持された棚板を回動することにより、棚板に載置された受尿筒が収納位置と使用位置との間を移動可能となっているため、便器に正対する使用者の前方に受尿筒を配置することができる。しかし、棚板は水平面内を回動するだけであるため、使用者の身長の高低差にかかわらず受尿筒の高さは一定であり、背の高い使用者や身長の低い子供等、使用者の身長によっては十分な尿はね防止効果を期待できないことがある。
【０００８】
本発明は、このような従来技術の実情に鑑みてなされたもので、その目的は、異臭が発生したり不衛生になることを抑制できると共に、誰もが容易に使用することのできる尿はね防止器具を提供することにある。
【課題を解決するための手段】
【０００９】
上記の目的を達成するために、本発明の尿はね防止器具は、便器に放尿する際の尿はねを防止するための尿はね防止器具であって、放尿を受ける受尿体と、前記受尿体の下端側に接続された尿排出流路と、前記受尿体の上端側に接続された給水流路と、前記受尿体を回動可能かつ昇降可能に支持するガイド部材とを備え、前記給水流路を介して前記受尿体に洗浄水を供給可能となっていることを特徴としている。
【００１０】
このように構成された尿はね防止器具では、受尿体をガイド部材に沿って昇降させて所望の高さにした状態で便器の真上まで回動し、この状態で使用者の排尿器官に近付けた受尿体に向けて放尿すれば、使用者の身長の高低にかかわらず誰でも尿はねを防止することができる。また、排尿後に給水流路を介して受尿体に水道水等の洗浄水を供給すれば、受尿体や尿排出流路の内壁面に付着した尿が洗い流されて便器に排出されるため、使用後の尿はね防止器具を清潔に保って異臭の発生等を防止することができる。
【００１１】
上記の構成において、前記受尿体は前記ガイド部材に保持体を介して支持されており、前記保持体に前記受尿体が水平方向へ移動可能に保持されていると、ガイド部材と受尿体との間隔が調整可能となるため、尿はね防止器具の非使用時に受尿体を保管しておく位置の自由度を高めることができて好ましい。
【００１２】
また、上記の構成において、前記給水流路が可撓性を有する蛇腹ホースまたはゴムホースであると、受尿体の回動位置や昇降位置に応じて給水流路が自在に変形するため、給水流路を接続したまま受尿体を所望の位置まで容易に移動させることができる。
【００１３】
また、上記の構成において、前記給水流路が着脱可能な継手を介して前記受尿体に接続されていると、洗浄時には給水流路を受尿体に連結しておき、受尿体の回動時等には給水流路を取り外しておけば、給水流路が邪魔にならずに受尿体を容易に回動することができる。
【００１４】
また、上記の構成において、前記受尿体と前記尿排出流路との接続部に開閉弁が設けられていると、使用者は、開閉弁を閉じた状態で受尿体に向けて放尿し、洗浄の前に開閉弁を開いて受尿体内の尿を尿排出流路を経由して便器に排出することができる。
【００１５】
また、上記の構成において、前記受尿体は上端を大径部とする円錐形状の内周面を有しており、前記洗浄水は前記給水流路から前記受尿体の内周面に沿って噴出されるようになっていると、受尿体の内周面に付着した尿をきれいに洗浄することができる。
【００１６】
また、上記の構成において、前記受尿体が外周面の一部を上方へ突出させたストッパ片を有していると、低い位置から放たれた尿をストッパ片で受けて受尿体内に導くことができるため、女性や子供でも容易に使用することができる。
【００１７】
また、上記の構成において、前記便器の便器本体に水溜り部に臨む取付孔が設けられており、前記尿排出流路が可撓性を有する蛇腹ホースまたはゴムホースであると共に、この尿排出流路の先端部が前記取付孔に固定されていると、尿排出流路の先端側を便器本体に接続した状態で、受尿体を使用位置と収納位置との間で移動させることができ、使い勝手がさらに向上する。
【００１８】
また、上記の目的を達成するために、本発明の尿はね防止器具は、キャスター付きの運搬台と、前記運搬台に立設されたガイド支柱と、前記ガイド支柱に回動可能かつ昇降可能に支持された放尿を受ける受尿体と、前記受尿体の下端側に接続された尿排出流路と、前記受尿体と前記尿排出流路との接続部に設けられた開閉弁と、を備えたことを特徴としている。
【００１９】
このように構成された尿はね防止器具では、病室等のトイレ以外の場所で開閉弁を閉じた状態で受尿体に向けて放尿した後、そのままキャスター付きの運搬台を利用して尿はね防止器具をトイレに搬送すれば、トイレ内で開閉弁を開いて受尿体内の尿を尿排出流路を経由して便器に排出すことができる。そして、その排出後にトイレ内に設置された水道等から受尿体に洗浄水を供給すれば、受尿体や尿排出流路の内壁面に付着した尿が洗い流されて便器に排出されるため、使用後の尿はね防止器具を清潔に保って異臭の発生等を防止することができる。また、受尿体をガイド部材に沿って昇降させたり回動することにより、受尿体を使用者の排尿器官に近付けた状態で放尿することができるため、使用者の身長の高低にかかわらず誰でも尿はねを防止することができる。
【発明の効果】
【００２０】
本発明によれば、異臭が発生したり不衛生になることを抑制できると共に、誰もが容易に使用することの可能な尿はね防止器具を提供することができる。
【図面の簡単な説明】
【００２１】
【図１】第１実施形態に係る尿はね防止器具の外観斜視図である。
【図２】該尿はね防止器具の正面図である。
【図３】該尿はね防止器具の平面図である。
【図４】該尿はね防止器具の使用状態を示す説明図である。
【図５】第２実施形態に係る尿はね防止器具の要部を示す説明図である。
【図６】第３実施形態に係る尿はね防止器具の要部を示す断面図である。
【図７】第４実施形態に係る尿はね防止器具の要部を示す説明図である。
【図８】第５実施形態に係る尿はね防止器具の外観斜視図である。
【図９】第６実施形態に係る尿はね防止器具の外観斜視図である。
【図１０】第７実施形態に係る尿はね防止器具の外観斜視図である。
【発明を実施するための形態】
【００２２】
発明の実施の形態について図面を参照して説明すると、図１〜図３に示すように、第１実施形態に係る尿はね防止器具は、洋式便器（便器）１の側方に立設されたガイド部材２と、ガイド部材２に回動可能かつ昇降可能に連結された保持体３と、保持体３に支持された受尿体４と、受尿体４の下端側に接続された尿排出ホース（尿排出流路）５と、受尿体４の上端側に接続された給水パイプ（給水流路）６とによって主に構成されている。
【００２３】
ガイド部材２は、上下方向に延びる円筒状の支柱からなり、洋式便器１を収容するトイレ内のコーナ部分に設置されている。このガイド部材２には昇降筒体７が上下動可能に挿入されており、昇降筒体７の外周面には使用者によって回転操作される操作摘み７ａが装着されている。昇降筒体７は、操作摘み７ａを締め付けることでガイド部材２の任意位置に固定することができ、操作摘み７ａを緩めることで高さ位置を調整することができる。
【００２４】
保持体３は、昇降筒体７の上部に回転可能に支持された筒状部３ａと、筒状部３ａから水平方向へ突出する支持部３ｂとを有しており、支持部３ｂには水平方向へ延びるスリット３ｃが設けられている。すなわち、保持体３は、ガイド部材２を中心に水平方向へ回動可能であると共に、ガイド部材２に対する昇降筒体７の高さを調整することにより、上下方向にも移動可能となっている。
【００２５】
受尿体４は、上方が開放され、上端を大径部とする円錐形状の内周面を有する漏斗状の容器であり、ポリエチレン（ＰＥ）やポリプロピレン（ＰＰ）等のプラスチック材料によって形成されている。なお、受尿体４の形状は漏斗状に限定されるものではない。受尿体４の先窄まり形状の下端部は保持体３のスリット３ｃに挿入されており、当該部分の外周面にはスリット３ｃの幅よりも大径な規制リング８が固定されている。これにより受尿体４は、規制リング８よりも上方の大径部分が支持部３ｂから突出した状態で保持体３に保持され、スリット３ｃの長手方向に沿ってスライド可能となっている。
【００２６】
詳細については後述するが、保持体３をガイド部材２の軸回りに回動することにより、受尿体４は、洋式便器１の周辺の保管場所（例えば洋式便器１の後方の収納位置）と、洋式便器１の真上の使用位置との間を移動可能となっている。また、保持体３をガイド部材２の長手方向に沿って上下動することにより、受尿体４はトイレの床面からの高さを調整可能となっている。なお、受尿体４の上下方向の可動範囲は５０ｃｍ程度の有限値であることが好ましく、その場合、ガイド部材２に図示せぬストッパを設けて昇降筒体７の移動量を規制すれば良い。
【００２７】
尿排出ホース５は受尿体４の下端に固定された可撓性を有するゴムホースであり、受尿体４の下端側の開口４ａは尿排出ホース５に接続されている。なお、尿排出ホース５は可撓性を有していれば良く、例えば、長さを伸縮することができる蛇腹ホースであっても良い。
【００２８】
給水パイプ６は、長さを伸縮することができる可撓性を有する蛇腹ホースであり、その一端側は受尿体４の上端側に設けられた噴出口４ｂに接続され、他端側はトイレ内に設置された水道１２の蛇口に取り付けられている。ここで、給水パイプ６は、可撓性を有していれば良く、例えば、ゴムホースを用いることもできる。なお、トイレ内に水道水を貯留可能な貯水タンク（不図示）を設置しておき、この貯水タンクに給水パイプ６の他端側を接続するようにしても良い。
【００２９】
次に、このように構成された尿はね防止器具の使用方法について、図１〜図４を参照しつつ説明する。
【００３０】
尿はね防止器具の不使用時には、保持体３を洋式便器１の後方の収納位置に移動しておき、保持体３に保持された受尿体４や尿排出ホース５が利用者の邪魔にならないようにしておく。ここで、受尿体４が保持体３のスリット３ｃに沿ってスライド可能となっているため、洋式便器１の後方に広いスペースを確保できない場合は、受尿体４をスリット３ｃの後端側へ移動してガイド部材２に近付けておけば、受尿体４に邪魔されずに洋式便器１の便蓋１ａを開閉することができる。ただし、洋式便器１の後方に広い収納スペースがある場合は、受尿体４をスリット３ｃの先端側に移動させた状態で、尿はね防止器具を収納位置に保管しておけば良い。
【００３１】
尿はね防止器具を使用する際は、図４に示すように、使用者Ｍが保持体３を回動操作して受尿体４を洋式便器１の水溜り部１ｂの真上まで移動し、さらに尿排出ホース５の下端を洋式便器１の水溜り部１ｂに差し込む。この状態で使用者Ｍである男性が受尿体４に向けて放尿すると、受尿体４で受尿された尿は尿排出ホース５を経由して洋式便器１の水溜り部１ｂに流入する。このとき、使用者Ｍの排尿器官と受尿体４との距離が１２ｃｍ以内に保たれていると、受尿体４によって尿はねを効果的に防止することができる。したがって、受尿体４の高さ位置が使用者の排尿器官に合っていない場合は、操作摘み７ａを緩めてガイド部材２に対する昇降筒体７の取付位置を調整した後、操作摘み７ａを締め付けて昇降筒体７をガイド部材２に固定すれば、使用者の排尿器官と受尿体４との距離を１２ｃｍ以内に保つことができる。
【００３２】
排尿が終わった後に水道１２の蛇口を開くと、水道水（洗浄水）が給水パイプ６を経由して受尿体４内に供給されるため、受尿体４や尿排出ホース５の内壁面に付着した尿をきれいに洗い流して洋式便器１の水溜り部１ｂに排出することができる。したがって、かかる洗浄後に保持体３を上記と逆向きに回動操作して、受尿体４を洋式便器１の後方の収納位置に戻したとき、尿はね防止器具を清潔な状態で収納位置に保管することができ、尿の付着に起因する異臭の発生等を防止することができる。
【００３３】
以上説明したように、本発明の第１実施形態に係る尿はね防止器具は、放尿を受ける受尿体４と、受尿体４の下端側に接続された尿排出ホース５と、受尿体４の上端側に接続された給水パイプ６と、受尿体４を回動可能かつ昇降可能に支持するガイド部材２とを備え、給水パイプ６を介して受尿体４に洗浄水を供給可能となっているため、受尿体４をガイド部材に沿って昇降させて所望の高さにした状態で洋式便器１の真上まで回動し、この状態で使用者の排尿器官に近付けた受尿体４に向けて放尿すれば、使用者の身長の高低にかかわらず誰でも尿はねを防止することができる。そして、排尿後に給水パイプ６を介して受尿体４に水道水等の洗浄水を供給すれば、受尿体４や尿排出ホース５の内壁面に付着した尿が洗い流されて洋式便器１に排出されるため、使用後の尿はね防止器具を清潔に保って異臭の発生等を防止することができる。
【００３４】
また、第１実施形態に係る尿はね防止器具では、受尿体４が保持体３を介してガイド部材２に支持されており、この保持体３に受尿体４が水平方向へ移動可能に保持されているため、ガイド部材２と受尿体４との間隔を調整することができる。これにより、尿はね防止器具の使用時に受尿体４をガイド部材２から遠いスリット３ｃの先端側に移動しておき、尿はね防止器具の非使用時に受尿体４をスリット３ｃの後端側に移動してガイド部材２に近付けることができるため、尿はね防止器具の収納スペースに応じて受尿体４を最適な位置に保管することができる。ただし、尿はね防止器具の収納スペースに十分な余裕がある場合は、保持体３を省略し、受尿体４から側方へ突出する腕部をガイド部材２に支持するという構成にしても良い。
【００３５】
また、第１実施形態に係る尿はね防止器具では、給水パイプ６が可撓性を有する蛇腹ホースであるため、受尿体４の回動位置や昇降位置に応じて給水パイプ６の長さや形状を自在に追従させることができる。これにより、給水パイプ６を受尿体４に連結したままの状態で、受尿体４を使用位置と収納位置との間で容易に移動させることができる。
【００３６】
図５は第２実施形態に係る尿はね防止器具の要部を示す説明図である。図５に示すように、第２実施形態に係る尿はね防止器具では、給水パイプ６が着脱可能な継手９を介して受尿体４に接続されており、それ以外の構成は第１実施形態と同様である。すなわち、受尿体４の上端側の噴出口４ｂに本体部９ａが取り付けられていると共に、給水パイプ６の先端側にソケット部９ｂが取り付けられており、これら本体部９ａとソケット部９ｂは着脱自在なワンタッチ継手を構成している。
【００３７】
このように給水パイプ６が着脱可能な継手９を介して受尿体４に接続されていると、洗浄時には本体部９ａとソケット部９ｂを連結して給水パイプ６を受尿体４に接続しておき、受尿体４の回動時に本体部９ａとソケット部９ｂを分離して給水パイプ６を受尿体４から取り外すことにより、給水パイプ６が邪魔にならずに受尿体４を容易に回動することができる。なお、着脱可能な継手９としては、カプラータイプやナットタイプ等のワンタッチ継手を用いることができる。
【００３８】
図６は第３実施形態に係る尿はね防止器具の要部を示す断面図である。図６に示すように、第３実施形態に係る尿はね防止器具では、受尿体４と尿排出ホース５との接続部に開閉弁１０が設けられており、それ以外の構成は第１実施形態と同様である。すなわち、受尿体４の内底面には開口４ａを開閉可能な開閉弁１０が設けてあり、この開閉弁１０は受尿体４の外部から操作できるようになっている。
【００３９】
このような開閉弁１０を備えた第３実施形態に係る尿はね防止器具では、開閉弁１０を閉じた状態で受尿体４に向けて放尿すれば、その放尿を受尿体４内に一時的に溜めておくことができる。そして、洗浄の直前に開閉弁１０を開放すると、受尿体４内の尿が尿排出ホース５を経由して洋式便器１の水溜り部１ｂに排出されるため、受尿体４や尿排出ホース５の内周面に付着した尿を速やかに洗浄することができる。
【００４０】
図７は第４実施形態に係る尿はね防止器具の要部を示す説明図である。図７に示すように、第４実施形態に係る尿はね防止器具では、洗浄水（水道水）が給水パイプ６から受尿体４の内周面に沿って噴出されるようになっており、それ以外の構成は第１実施形態と同様である。すなわち、受尿体４の上部内周面にはＬ字状に屈曲する噴出口４ｂが取り付けられており、噴出口４ｂの先端は受尿体４の円錐形状の内周面を向いている。
【００４１】
このように噴出口４ｂの先端を受尿体４の内周面に向けておくと、給水パイプ６を経由した水道水（洗浄水）が、噴出口４ｂから受尿体４の内周面に向けて噴出された後、受尿体４の円錐形状の内周面に沿って螺旋状に流れて尿排出ホース５へ向かうため、受尿体４の内周面に付着した尿をきれいに洗浄することができる。
【００４２】
図８は第５実施形態に係る尿はね防止器具の外観斜視図である。図８に示すように、第５実施形態に係る尿はね防止器具では、ストッパ片１１ａを有する女性用の受尿体１１が用いられており、それ以外の構成は第１実施形態と同様である。すなわち、受尿体１１には外周面の一部を上方へ突出させたストッパ片１１ａが形成されており、尿はね防止器具の使用時にストッパ片１１ａが洋式便器１の手前側に配置されるようになっている。受尿体１１は、使用者（女性）の皮膚に接触することがあるため、比較的柔らかい素材で形成することが好ましい。
【００４３】
このように構成された第５実施形態に係る尿はね防止器具では、使用時に受尿体１１を洋式便器１の水溜り部１ｂの真上まで移動してストッパ片１１ａを手前側に起立させ、さらに尿排出ホース５の下端を洋式便器１の水溜り部１ｂに差し込む。この状態で使用者の女性が洋式便器１の便蓋１ａを背にして受尿体１１に向けて放尿すると、受尿体１１のストッパ片１１ａで受けられた尿は、受尿体１１から尿排出ホース５を経由して洋式便器１の水溜り部１ｂに流入する。そして、第１実施形態と同様に、排尿後に給水パイプ６を経由して受尿体４内に水道水（洗浄水）を供給すれば、受尿体４や尿排出ホース５の内壁面に付着した尿をきれいに洗い流して洋式便器１に排出することができる。
【００４４】
なお、上記の第５実施形態において、図８の２点鎖線で示すように、ストッパ片１１ａを突出位置と没入位置との間で折り畳み可能にすると、男性がストッパ片１１ａを没入位置に折り畳んだ状態で放尿することができるため、男女兼用の尿はね防止器具として使用することができる。
【００４５】
図９は第６実施形態に係る尿はね防止器具の外観斜視図である。図９に示すように、第６実施形態に係る尿はね防止器具では、尿排出ホース５の先端部が洋式便器１の便器本体に固定されており、それ以外の構成は第１実施形態と同様である。すなわち、洋式便器１の便器本体には水溜り部１ｂに臨む取付孔１ｃが穿設されており、この取付孔１ｃに尿排出ホース５の先端部が固定されている。尿排出ホース５は長さが伸縮できる可撓性を有する蛇腹ホースであり、受尿体４の移動に追従できる長さに設定されており、取付孔１ｃは水溜り部１ｂの上方位置に設けられている。なお、蛇腹ホースの代わりにゴムホースを用いても良い。
【００４６】
このように構成された第６実施形態に係る尿はね防止器具では、受尿体４の下端に接続された尿排出ホース５の先端部が便器本体の取付孔１ｃに固定されているため、排尿や洗浄のたびに尿排出ホース５を洋式便器１の水溜り部１ｂに差し込む必要がなくなり、使用者は受尿体４を洋式便器１の水溜り部１ｂの真上に移動するだけで、排尿や洗浄を容易に行うことができる。よって、使い勝手がさらに向上する。また、使用後に受尿体４を収納位置へ移動する場合、受尿体４の移動に追従して蛇腹ホースからなる尿排出ホース５の長さや形状が変化するため、尿排出ホース５の先端部を便器本体に固定したまま、尿はね防止器具を使用位置と収納位置との間で移動させることができる。
【００４７】
図１０は第７実施形態に係る尿はね防止器具の外観斜視図である。図１０に示すように、第７実施形態に係る尿はね防止器具は、病室等のトイレ以外の場所での使用を可能とするものであり、ガイド部材としてのガイド支柱２１がキャスター２０ａ付の運搬台２０に立設されている。受尿体４の上端側の噴出口４ｂには、第２実施形態と同様のワンタッチ継手の本体部９ａが取り付けられており、この本体部９ａに対してトイレ内に設置された給水パイプに取り付けられたソケット部（不図示）が着脱可能となっている。また、受尿体４と尿排出ホース５との接続部には第３実施形態と同様の開閉弁１０が設けられており、それ以外の構成は第１実施形態と同様である。
【００４８】
このように構成された第７実施形態に係る尿はね防止器具では、使用者が病室等のトイレ以外の場所で開閉弁１０を閉じた状態で受尿体４に向けて放尿した後、そのままキャスター２０ａ付の運搬台２０を利用して尿はね防止器具をトイレに搬送すれば、トイレ内で開閉弁１０を開くことにより、受尿体４内の尿を尿排出ホース５を経由して洋式便器１の水溜り部１ｂに排出すことができる。その際、受尿体４をガイド支柱２１に沿って昇降させたり回動することにより、受尿体４を使用者の排尿器官に近付けた状態で放尿することができるため、前述した各実施形態例と同様に、使用者の身長の高低にかかわらず誰でも尿はねを防止することができる。
【００４９】
そして、受尿体４内の尿を洋式便器１に排出した後、図示せぬ給水パイプに取り付けられたソケット部を受尿体４の本体部９ａに連結した状態で、水道水（洗浄水）を給水パイプを経由して受尿体４内に供給すれば、受尿体４や尿排出ホース５の内壁面に付着した尿をきれいに洗い流して洋式便器１の水溜り部１ｂに排出することができるため、使用後の尿はね防止器具を清潔に保って異臭の発生等を防止することができる。その際、本体部９ａとソケット部を省略し、給水パイプからの水道水を受尿体４の上部開口から供給して洗浄を行うようにしても良い。
【符号の説明】
【００５０】
１  洋式便器（便器）
１ａ  便蓋
１ｂ  水溜り部
１ｃ  取付孔
２  ガイド部材
３  保持体
３ａ  筒状部
３ｂ  支持部
３ｃ  スリット
４  受尿体
４ａ  開口
４ｂ  噴出口
５  尿排出ホース（尿排出流路）
６  給水パイプ（給水流路）
７  昇降筒体
７ａ  操作摘み
８  規制リング
９  継手
９ａ  本体部
９ｂ  ソケット部
１０  開閉弁
１１  受尿体
１１ａ  ストッパ片
１２  水道
２０  運搬台
２０ａ  キャスター
２１  ガイド支柱
【図１】
2019063351.tif 000003
【図２】
2019063351.tif 000004
【図３】
2019063351.tif 000005
【図４】
2019063351.tif 000006
【図５】
2019063351.tif 000007
【図６】
2019063351.tif 000008
【図７】
2019063351.tif 000009
【図８】
2019063351.tif 000010
【図９】
2019063351.tif 000011
【図１０】
2019063351.tif 000012
【手続補正書】
【提出日】平成29年12月27日(2017.12.27)
【手続補正１】
【補正対象書類名】明細書
【補正対象項目名】０００９
【補正方法】変更
【補正の内容】
【０００９】
上記の目的を達成するために、本発明の尿はね防止器具は、便器に放尿する際の尿はねを防止するための尿はね防止器具であって、放尿を受ける受尿体と、前記受尿体の下端側に接続された尿排出流路と、前記受尿体の上端側に接続された給水流路と、前記受尿体を回動可能かつ昇降可能に支持するガイド部材と、前記受尿体と前記尿排出流路との接続部に設けられた開閉弁とを備え、前記給水流路を介して前記受尿体に洗浄水を供給可能となっていることを特徴としている。
【手続補正２】
【補正対象書類名】明細書
【補正対象項目名】００１０
【補正方法】変更
【補正の内容】
【００１０】
このように構成された尿はね防止器具では、受尿体をガイド部材に沿って昇降させて所望の高さにした状態で便器の真上まで回動し、この状態で使用者の排尿器官に近付けた受尿体に向けて放尿すれば、使用者の身長の高低にかかわらず誰でも尿はねを防止することができる。また、排尿後に給水流路を介して受尿体に水道水等の洗浄水を供給すれば、受尿体や尿排出流路の内壁面に付着した尿が洗い流されて便器に排出されるため、使用後の尿はね防止器具を清潔に保って異臭の発生等を防止することができる。しかも、受尿体と尿排出流路との接続部に開閉弁が設けられているため、使用者は、開閉弁を閉じた状態で受尿体に向けて放尿し、洗浄の前に開閉弁を開いて受尿体内の尿を尿排出流路を経由して便器に排出することができる。
【手続補正３】
【補正対象書類名】明細書
【補正対象項目名】００１４
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
便器に放尿する際の尿はねを防止するための尿はね防止器具であって、
放尿を受ける受尿体と、前記受尿体の下端側に接続された尿排出流路と、前記受尿体の上端側に接続された給水流路と、前記受尿体を回動可能かつ昇降可能に支持するガイド部材と、前記受尿体と前記尿排出流路との接続部に設けられた開閉弁とを備え、前記給水流路を介して前記受尿体に洗浄水を供給可能となっていることを特徴とする尿はね防止器具。
【請求項２】
請求項１に記載の尿はね防止器具において、前記受尿体は前記ガイド部材に保持体を介して支持されており、前記保持体に前記受尿体が水平方向へ移動可能に保持されていることを特徴とする尿はね防止器具。
【請求項３】
請求項１に記載の尿はね防止器具において、前記給水流路が可撓性を有する蛇腹ホースまたはゴムホースであることを特徴とする尿はね防止器具。
【請求項４】
請求項１に記載の尿はね防止器具において、前記給水流路が着脱可能な継手を介して前記受尿体に接続されていることを特徴とする尿はね防止器具。
【請求項５】
請求項１に記載の尿はね防止器具において、前記受尿体は上端を大径部とする円錐形状の内周面を有しており、前記洗浄水は前記給水流路から前記受尿体の内周面に沿って噴出されることを特徴とする尿はね防止器具。
【請求項６】
請求項１に記載の尿はね防止器具において、前記受尿体が外周面の一部を上方へ突出させたストッパ片を有していることを特徴とする尿はね防止器具。
【請求項７】
請求項１に記載の尿はね防止器具において、前記便器の便器本体に水溜り部に臨む取付孔が設けられており、前記尿排出流路が可撓性を有する蛇腹ホースまたはゴムホースであると共に、この尿排出流路の先端部が前記取付孔に固定されていることを特徴とする尿はね防止器具。
【請求項８】
キャスター付きの運搬台と、前記運搬台に立設されたガイド支柱と、前記ガイド支柱に回動可能かつ昇降可能に支持された放尿を受ける受尿体と、前記受尿体の下端側に接続された尿排出流路と、前記受尿体と前記尿排出流路との接続部に設けられた開閉弁と、を備えたことを特徴とする尿はね防止器具。